(57)【要約】【課題】  落下時等の衝撃が加わった際にも、蓋体の開蓋を防止する。【解決手段】  被収容物を収容する収容部を有する本体２と、本体に対して開蓋動作又は閉蓋動作される蓋体３と、第１及び第２の係止部１２，１３を有する係止片１１と、係止片１１に係止して蓋体の開蓋動作を規制するロック部材１６とを備え、ロック部材１６は、回動支点１７から一方の側に延長された弾性変位部１８と、弾性変位部の先端に設けられた操作部２０と、回動支点及び操作部の間に設けられ、第１の係止部に係止する第１のロック部２１と、回動支点から他方の側に延長されたアーム部１９と、アーム部の先端に設けられ、第２の係止部に係止する第２のロック部２２とを有し、操作部が操作方向に操作されたときに、第１のロック部２１が操作方向に移動され、第２のロック部２２が操作方向と反対方向に移動される。【選択図】  図２
2006260629.tif 000002
【特許請求の範囲】
【請求項１】
本体に対して開蓋動作又は閉蓋動作される蓋体の開蓋動作を規制する蓋開閉機構において、
上記本体及び上記蓋体の一方の側に設けられ、第１及び第２の係止部を有する係止片と、
上記本体及び上記蓋体の他方の側に設けられ、上記係止片に係止して上記蓋体の開蓋動作を規制するロック部材とを備え、
上記ロック部材は、回動支点から一方の側に延長された弾性変位部と、
上記弾性変位部の先端に設けられた操作部と、
上記弾性変位部の上記回動支点及び上記操作部の間に設けられ、上記第１の係止部に係止する第１のロック部と、
上記回動支点から他方の側に延長されたアーム部と、
上記アーム部の先端に設けられ、上記第２の係止部に係止する第２のロック部とを有し、
上記操作部が操作方向に操作されたときに、上記第１のロック部が上記操作方向と同じ方向に移動され、上記第２のロック部が上記操作方向と反対方向に移動されることにより、上記第１のロック部と上記第１の係止部との係止が解除されるとともに、上記第２のロック部と上記第２の係止部との係止が解除される蓋開閉機構。
【請求項２】
上記第１及び第２の係止部は、上記係止片の両端部に外側に向けて形成され、
上記操作部が操作方向に操作されたときに、上記第１及び第２のロック部は、離間する方向に移動されることを特徴とする請求項１記載の蓋開閉機構。
【請求項３】
上記第１及び第２の係止部は、所定の間隔を有して内側に向けて形成され、
上記操作部が操作方向に操作されたときに、上記第１及び第２のロック部は、近接する方向に移動されることを特徴とする請求項１記載の蓋開閉機構。
【請求項４】
上記弾性変位部、上記回動支点、上記操作部、上記第１のロック部、上記アーム部及び上記第２のロック部は、一体に形成されていることを特徴とする請求項１記載の蓋開閉機構。
【請求項５】
上記操作部には、操作方向を所定方向にガイドするガイド部が設けられていることを特徴とする請求項１記載の蓋開閉機構。
【請求項６】
上記弾性変位部には、上記回動支点及び上記第１のロック部の間に湾曲部が形成されていることを特徴とする請求項１記載の蓋開閉機構。
【発明の詳細な説明】
【技術分野】
【０００１】
本発明は、落下時等の衝撃が加わったときに蓋体の開蓋動作を規制できる蓋開閉機構に関する。
【背景技術】
【０００２】
従来から、例えば、特許文献１に示すように、被収容物を収容する本体と、この本体の開口部を開閉する蓋体とを有するディスクプレーヤ等に用いられ、蓋体が開蓋しないようにロックできる蓋開閉機構が知られている（特許文献１参照）。
【０００３】
この蓋開閉機構１００は、例えば、開口部を有し被収容物を収容する本体と、この本体の開口部を開閉する蓋体とを有するディスクプレーヤ等に用いられ、図８（ａ）に示すように、蓋体側に設けられたツメ部１０１と、本体側に設けられたスライド可能なロック部１０２と、このロック部１０２をスライドさせる操作部とを有する。
【０００４】
蓋開閉機構１００は、蓋体が閉蓋状態とされているとき、ツメ部１０１がロック部１０２に係合されることで蓋体の開蓋方向への移動が規制されて開蓋しないようにロックされている。
【０００５】
そして、操作部を操作することによりロック部１０２を、Ｒ３方向にスライドさせることにより、図８（ｂ）に示すように、ツメ部１０１との係合が解除され、すなわち、ロックが解除され、蓋体が開蓋方向ＲＯへの移動が可能となる。
【０００６】
すなわち、蓋開閉機構１００は、操作部が操作されたとき以外は、蓋体が開蓋してしまうことを防止することができる。
【０００７】
しかし、かかる蓋開閉機構１００は、落下時等に衝撃が加わった場合に、ロック部１０２がＲ３方向にスライドしてしまうことがあり、誤って蓋体が開蓋状態となってしまう等の問題が生じてしまう。
【０００８】
【特許文献１】特開２００２−１９８６６３号公報
【発明の開示】
【発明が解決しようとする課題】
【０００９】
本発明の目的は、落下時等の衝撃が加わった際にも、蓋体の開蓋を防止することができる蓋開閉機構を提供することにある。
【課題を解決するための手段】
【００１０】
本発明に係る蓋開閉機構は、本体に対して開蓋動作又は閉蓋動作される蓋体の開蓋動作を規制する蓋開閉機構において、上記本体及び上記蓋体の一方の側に設けられ、第１及び第２の係止部を有する係止片と、上記本体及び上記蓋体の他方の側に設けられ、上記係止片に係止して上記蓋体の開蓋動作を規制するロック部材とを備え、上記ロック部材は、回動支点から一方の側に延長された弾性変位部と、上記弾性変位部の先端に設けられた操作部と、上記弾性変位部の上記回動支点及び上記操作部の間に設けられ、上記第１の係止部に係止する第１のロック部と、上記回動支点から他方の側に延長されたアーム部と、上記アーム部の先端に設けられ、上記第２の係止部に係止する第２のロック部とを有し、上記操作部が操作方向に操作されたときに、上記第１のロック部が上記操作方向と同じ方向に移動され、上記第２のロック部が上記操作方向と反対方向に移動されることにより、上記第１のロック部と上記第１の係止部との係止が解除されるとともに、上記第２のロック部と上記第２の係止部との係止が解除される。
【発明の効果】
【００１１】
本発明に係る蓋開閉機構は、本体及び蓋体の一方側に設けられた係止片に、本体及び蓋体の他方の側に設けられた、所定の操作方向に操作される第１のロック部と、この操作方向と逆の方向に操作される第２のロック部とが係止することにより、蓋体の開蓋動作を規制するので、複雑な構成を必要とせず、構成部品を増加することなく、落下時等の衝撃が加わった際にも、蓋体が誤って開蓋することを防止することができる。
【発明を実施するための最良の形態】
【００１２】
以下、本発明を適用した蓋開閉機構について図面を参照して説明する。具体的には、本発明を適用した蓋開閉機構を用いた携帯型のディスクプレーヤについて説明する。
【００１３】
このディスクプレーヤ１は、光ディスクに対して情報を記録及び／又は再生する記録再生部として光ピックアップ７と、光ディスクを保持するとともに回転するディスク回転駆動部８とを備える。ディスクプレーヤ１は、ディスク回転駆動部８に装着された光ディスクが回転され、同時に、光ピックアップ７が光ディスクの半径方向へ移動されて、光ディスクに対する記録動作又は再生動作を行う。
【００１４】
ディスクプレーヤ１は、図１に示すように、その上面側の開口部に被収容物である光ディスクを収容する収容部を有する本体２と、この本体２の開口部に対して開閉方向に開閉動作されることにより収容部を閉蓋又は開蓋する蓋体３と、この蓋体３を開蓋する方向ＲＯに付勢する付勢手段と、蓋体の開蓋動作を規制する蓋開閉機構１０とを有する。
【００１５】
本発明を適用した蓋開閉機構１０は、図１及び図２に示すように、蓋体３側に設けられ、第１及び第２の係止部１２，１３を有する係止片１１と、本体２側に設けられ、係止片１１に係止して蓋体３の開蓋動作を規制するロック部材１６とからなる。
【００１６】
尚、ここでは、係止片１１が蓋体３側に設けられ、ロック部材１６が本体２側に設けられるように構成したが、これに限られるものではなく、係止片が本体側２に設けられ、ロック部材が蓋体３に設けられるように構成すればよい。すなわち、本体２及び蓋体３の一方の側に、係止片１１が設けられ、他方の側にロック部材１６が設けられるように構成すればよい。
【００１７】
蓋体３側に設けられた係止片１１の第１及び第２の係止部１２，１３は、係止片１１の両端側に外側に向けて形成されている。蓋体３は、図示しないヒンジ部材を介して、本体２側のディスク装着面に対して回動する方向に回動自在に取り付けられており、付勢手段に開蓋方向ＲＯに付勢されている。また、蓋体３は、係止片１１が本体２のベース板５の開口部６からベース板５の底面側に挿通されて、ベース板５の底面側でロック部材１６にロックされることにより開蓋方向ＲＯへの動作が規制されている。
【００１８】
係止片１１の第１及び第２の係止部１２，１３は、開口部６に係止片１１が挿通された状態でベース板５の底面側に対向する位置、すなわち、蓋体３に臨む部分に設けられる。係止片１１の第１及び第２の係止部１２，１３の反対側の面には、第１及び第２の傾斜面部１４，１５が形成されている。この第１及び第２の傾斜面部１４，１５は、開蓋状態から閉蓋状態となるときに、後述する第１及び第２のロック部２１，２２を離間する（開く）方向に移動させる。
【００１９】
本体２側に設けられたロック部材１６は、ベース板５の底面側に、ベース板５と略平行な平面内において回動自在に取り付けられ、蓋体３に設けた係止片１１に係止することにより、開蓋方向ＲＯに付勢されている蓋体３の開蓋動作を規制して、蓋体３を閉蓋状態にロックする。
【００２０】
ロック部材１６は、図２、図３及び図４に示すように、ベース板５への取り付け部となる回動支点１７と、回動支点１７から一方の側に延長された弾性変位部１８と、弾性変位部１８の先端に設けられた操作部２０と、弾性変位部１８の回動支点１７及び操作部２０の間に設けられる第１のロック部２１と、回動支点１７から他方の側に延長されたアーム部１９と、アーム部１９の先端に設けられる第２のロック部２２とを有する。
【００２１】
ロック部材１６を構成する、弾性変位部１８、回動支点１７、操作部２０、第１のロック部２１、アーム部１９及び第２のロック部２２は、例えば、弾性を有する樹脂等により一体に形成されている。ロック部材１６が一体に形成されていることにより、構成部品の増加を防止し、部品点数を削減することが可能となる。
【００２２】
ロック部材１６の弾性変位部１８には、回動支点１７及び第１のロック部２１の間に、湾曲形状とされた湾曲部２３が形成されている。ここでは、弾性変位部１８は、湾曲部２３を有する湾曲形状とされたが、例えば、一対の直線状の部材を所定の角度で連結した、いわゆるＶ字状に形成した連結部等を設けるように構成しても良い。尚、上述のように湾曲形状に形成した方が、繰り返しの動作に対する強度を高めることができる。
【００２３】
ロック部材１６は、図４に示すように、操作部２０及び第１のロック部２１の近傍から操作方向Ｒ１、すなわち、本体２の外周方向（円周方向）に突出して形成され、操作部２０及び第１のロック部２１の移動方向を所定の方向にガイドするガイドアーム２４を有する。このガイドアーム２４は、後述するベース板５に設けられた第１のガイド片３１に挿通され、この第１のガイド片３１に沿って移動することで操作部２０及び第１のロック部２１の移動方向を所定の方向Ｒ１１，Ｒ１にガイドする。
【００２４】
アーム部１９の先端に設けられた第２のロック部２２は、後述するベース板５に設けられた第２のガイド片３２により、移動方向が所定の方向Ｒ１２に規制されてガイドされる。
【００２５】
操作部２０は、図３に示すように、本体２のベース板５の底面側と接する面に突設して形成された突起部２５を有する。この突起部２５は、後述するベース板５のガイド溝３３内を移動することで、ガイド溝３３により規制された方向にのみ操作部２０を移動するように操作部２０の操作方向Ｒ１を規制するガイド部材となる。突起部２５及びガイド溝３３は、操作部２０の操作方向を決定する。
【００２６】
本体のベース板５の底面側には、図４に示すように、ガイドアーム２４を挿通するための挿通孔が形成された第１のガイド部となる第１のガイド片３１と、第２のロック部２２の移動方向を所定の方向にガイドするとともに、第２のロック部２２が外側に向けて回動したときの位置を規制する第２のガイド部となる第２のガイド片３２と、操作部２０と接触する部分に凹状に形成され、操作部２０の突起部２５が挿入されることで、操作部２０の操作方向をガイドする第３のガイド部となるガイド溝３３と、ロック部材１６の移動範囲を規制するとともに、本体２を組み立てるためのボス部３４とが設けられている。
【００２７】
ガイド溝３３により、操作部２０の操作方向Ｒ１が規制されるとともに、第１及び第２のガイド片３１，３２により、第１及び第２のロック部２１，２２の移動方向が規制されているので、一体に形成されたロック部材１６は、回動支点１７一点のみでベース板５に取り付けられ、弾性変位部１８の先端に設けられた操作部２０を操作されたときに、第１及び第２のロック部２１，２２の移動方向を所定の方向にすることができる。
【００２８】
ボス部３４は、本体２を組み立てるためのものであるとともに、第１のロック部２１及び弾性変位部１８が第２のロック部２２に近接する方向の移動を一定の範囲に抑える規制部として機能する。
【００２９】
ディスクプレーヤ１において、ロック部材１６が外部から力が加わらない状態、すなわち、通常時においては、第１のロック部２１が、係止片１１の第１の係止部１２に係止して、蓋体３が開蓋動作を行わないように規制し、第２のロック部２２が、係止片１１の第２の係止部１３に係止して、蓋体３が開蓋動作を行わないように規制する。すなわち、ロック部材１６は、第１及び第２のロック部２１，２２により、蓋体３の開蓋動作を行わないようにロックする。
【００３０】
ロック部材１６は、操作部２０が操作方向Ｒ１に操作されたときに、第１のロック部２１が操作方向Ｒ１と同じ方向Ｒ１１に操作されることにより、第１のロック部２１が第１の係止部１２との係止を解除するとともに、第２のロック部２２が操作方向Ｒ１と反対方向Ｒ１２に操作されることにより、第２のロック部２２が第２の係止部１３との係止を解除する。すなわち、ロック部材１６は、操作部２０が操作方向Ｒ１に操作されることにより、蓋体３の開蓋動作のロックを解除し、蓋体３が付勢手段の付勢力により開蓋方向ＲＯに回動される。
【００３１】
このように、ロック部材１６は、外部から力が加わらない状態、すなわち、通常時においては、第１及び第２のロック部２１，２２が図４に示すように、近接した状態に成形されており、外部から力が加わった状態、すなわち、操作部２０が操作方向Ｒ１方向に操作されたときは、第１及び第２のロック部２１，２２が図５に示すように、離間する方向Ｒ１１，Ｒ１２に移動されて、離間した状態となる。
【００３２】
以上のように構成された蓋開閉機構１０は、本体２側に設けられ一体に形成されたロック部材１６が、蓋体３側に設けられた係止片１１を、解除方向が異なる方向とされた第１及び第２のロック部２１，２２により係止することで、構成部品を増加して複雑な構成を有することなく、蓋体３の開蓋動作を防止することができる。
【００３３】
また、蓋開閉機構１０は、落下時等の衝撃が加えられることにより、ロック部材１６が移動したときにも、第１のロック部２１及び第２のロック部２２が同じ方向に移動されるので、一方のロック部による係止が解除されたとしても少なくともいずれか一方のロック部による係止が解除されることはなく、蓋体３の開蓋動作を確実に防止して、確実にロックすることができる。
【００３４】
次に、本発明を適用した蓋開閉機構１０を備えたディスクプレーヤ１の蓋体３の開閉動作について説明する。
【００３５】
まず、蓋体３の閉蓋位置における開蓋動作がロックされている状態について説明する。図４に示すように、付勢手段により開蓋方向ＲＯに付勢された蓋体３に設けられた係止片１１の第１及び第２の係止部１２，１３がそれぞれロック部材１６の第１及び第２のロック部２１，２２により係止されている。すなわち、蓋体３は、係止片１１がロック部材１６により係止されてロックされることにより、開蓋方向ＲＯへの回動を規制されており、閉蓋状態とされている。
【００３６】
次に、閉蓋状態から開蓋状態にされるときの動作について説明する。上述のような閉蓋状態において、操作部２０が操作方向Ｒ１に操作されると、図５に示すように、ロック部材１６は、ベース板５の底面側の平面上で回動支点１７のみで固定されているので、弾性変位部１８の湾曲部２３が、湾曲形状が離間するＲ１３方向に移動され、第１のロック部２１は、操作部２０の操作方向と同じＲ１１方向に移動される。一方、アーム部１９は、回動支点１７近傍が回動支点を中心に操作方向と同じ方向Ｒ１３に力が加わることにより、操作部２０の操作方向と反対方向であるＲ１４方向に回動され、アーム部１９の先端に設けられた第２のロック部２２は、Ｒ１２方向に移動される。すなわち、操作部２０が操作方向Ｒ１に操作されることで、第１及び第２のロック部２１，２２は、互いに離間する方向Ｒ１１，Ｒ１２に移動される。
【００３７】
そして、第１のロック部２１がＲ１１方向に移動されて、第１のロック部２１と第１の係止部１２との係止が解除され、第２のロック部２２がＲ１２方向に移動されて、第２のロック部２２と第２の係止部１３との係止が解除されることにより、ロック部材１６は、係止片１１への係止、すなわち、蓋体の開蓋方向ＲＯへの移動を規制するロックを解除する。
【００３８】
蓋体３は、係止片１１がロック部材１６による係止が解除されることにより、開蓋動作のロックが解除されて、付勢手段による付勢力により開蓋動作される。
【００３９】
次に、開蓋状態から閉蓋状態にされるときの動作について説明する。開蓋状態とされた蓋体３が、付勢手段による付勢力に反する力により、閉蓋方向ＲＣに移動されると、係止片１１の第１及び第２の傾斜面部１４，１５が第１及び第２のロック部２１，２２に接触する。このとき、第１及び第２のロック部２１，２２は、操作部２０が通常の位置に戻っているので、通常時の近接した状態、すなわち、係止片１１と接触する位置に戻っている。
【００４０】
第１及び第２のロック部２１，２２は、蓋体３の閉蓋方向ＲＣへの力と、蓋体３側に設けられた係止片１１の第１及び第２の傾斜面部１４，１５の傾斜面とにより、離間する方向Ｒ１１，Ｒ１２に移動されて、蓋体３が閉蓋位置に移動することを可能とする。
【００４１】
そして、蓋体３が閉蓋位置に移動したときに、第１及び第２のロック部２１，２２は、通常時の近接した状態に戻り、係止片１１の第１及び第２の係止部１２，１３に係止した状態、すなわち、蓋体３の開蓋動作を規制するロック状態となる。
【００４２】
本発明を適用した蓋開閉機構１０は、本体２及び蓋体３の一方側に設けられた、所定の操作方向Ｒ１１に操作される第１のロック部２１と、この操作方向Ｒ１１と逆の方向Ｒ１２に操作される第２のロック部２２とが、本体２及び蓋体３の他方の側に設けられた係止片１１の第１及び第２の係止部１２，１３に係止することにより、蓋体２の開蓋動作を規制するので、複雑な構成を必要とせず、構成部品を増加することなく、落下時等の衝撃が加わった際にも、蓋体２が誤って開蓋することを防止することができる。
【００４３】
また、本発明を適用した蓋開閉機構１０は、落下時等の開蓋動作を防止するために例えば、従来の蓋開閉機構を複数設けること、すなわち、解除方向が異なる方向とされたロック部を２箇所設け、このロック部に係合されるツメ部を２箇所設けた場合には、必要となる煩雑なロック解除を必要とせず、また、部品点数の増加等の問題を起こすおそれがなく、簡単な構成で、落下時の衝撃が加わった際の蓋体が誤って開蓋することを防止することができる。
【００４４】
尚、上述のディスクプレーヤ１の蓋開閉機構１０では、本体２側にロック部材１６、蓋体３側に係止片１１を設けるように構成したが、これに限られるものではなく、本体２側に係止片、蓋体３側にロック部材を設けるように構成しても良い。
【００４５】
また、上述のディスクプレーヤ１の蓋開閉機構１０において、第１及び第２の係止部１２，１３を係止片１１の両端部に外側に向けて形成し、この第１及び第２の係止部１２，１３にそれぞれ係止する、第１及び第２のロック部２１，２２を外側に向けて移動させることで、ロックを解除するように構成したが、これに限られるものではなく、例えば、第１及び第２の係止部を所定の間隔を有するとともに内側に向けて形成し、この第１及び第２の係止部にそれぞれ係止する、第１及び第２のロック部を内側に向けて移動させることで、ロックを解除するように構成しても良い。
【００４６】
次に、第１及び第２の係止部を内側に向けて形成するように構成した蓋開閉機構４０を用いたディスクプレーヤについて説明する。尚、以下の説明において、上述した蓋開閉機構１０に換えて蓋開閉機構４０を用いること以外は、上述と同様であるので、詳細な説明は、省略する。また、上述した蓋開閉機構１０と共通する部分については、共通の符号を付して詳細な説明は、省略する。
【００４７】
本発明を適用した蓋開閉機構４０は、図６に示すように、蓋体３側に設けられ、第１及び第２の係止部４２，４３を有する係止片４１と、本体２側に設けられ、係止片４１に係止して蓋体３の開蓋動作を規制するロック部材４６とからなる。
【００４８】
尚、ここでは、係止片４１が蓋体３側に設けられ、ロック部材４６が本体２側に設けられるように構成したが、これに限られるものではなく、係止片が本体側２に設けられ、ロック部材が蓋体３に設けられるように構成すればよい。すなわち、本体２及び蓋体３の一方の側に、係止片４１が設けられ、他方の側にロック部材４６が設けられるように構成すればよい。
【００４９】
蓋体３側に設けられた係止片４１の第１及び第２の係止部４２，４３は、係止片１１の所定の間隔を有して内側に向けて形成されている。また、蓋体３は、係止片４１が本体２のベース板５の開口部６からベース板５の底面側に挿通されて、ベース板５の底面側でロック部材４６にロックされることにより開蓋方向ＲＯへの動作が規制されている。
【００５０】
係止片４１の第１及び第２の係止部４２，４３は、開口部６に係止片４１が挿通された状態でベース板５の底面側に対向する位置、すなわち、蓋体３に臨む部分に設けられる。係止片４１の第１及び第２の係止部４２，４３の反対側の面には、第１及び第２の傾斜面部４４，４５が形成されている。この第１及び第２の傾斜面部４４，４５は、開蓋状態から閉蓋状態となるときに、後述する第１及び第２のロック部５１，５２を近接する（閉じる）方向に移動させる。
【００５１】
本体２側に設けられたロック部材４６は、ベース板５の底面側に回動自在に取り付けられ、蓋体３に設けた係止片１１に係止することにより、開蓋方向ＲＯに付勢されている蓋体３の開蓋動作を規制して、蓋体３を閉蓋状態にロックする。
【００５２】
ロック部材４６は、図６に示すように、ベース板５への取り付け部となる回動支点４７と、回動支点４７から一方の側に延長された弾性変位部４８と、弾性変位部４８の先端に設けられた操作部５０と、弾性変位部４８の回動支点４７及び操作部５０の間に設けられる第１のロック部５１と、回動支点４７から他方の側に延長されたアーム部４９と、アーム部４９の先端に設けられる第２のロック部５２とを有する。
【００５３】
ロック部材４６を構成する、弾性変位部４８、回動支点４７、操作部５０、第１のロック部５１、アーム部４９及び第２のロック部５２は、例えば、弾性を有する樹脂等により一体に形成されている。ロック部材４６が一体に形成されていることにより、構成部品の増加を防止し、部品点数を削減することが可能となる。
【００５４】
ロック部材４６の弾性変位部４８には、回動支点４７及び第１のロック部５１の間に、湾曲形状とされた湾曲部５３が形成されている。ここでは、弾性変位部４８は、湾曲部５３を有する湾曲形状とされたが、例えば、一対の直線状の部材を所定の角度で連結した、いわゆるＶ字状に形成した連結部等を設けるように構成しても良い。尚、上述のように湾曲形状に形成した方が、繰り返しの動作に対する強度を高めることができる。
【００５５】
ロック部材４６は、図６に示すように、操作部５０及び第１のロック部５１の近傍から操作方向Ｒ２と反対方向、すなわち、本体２の外周方向（円周方向）に突出して形成され、操作部５０及び第１のロック部５１の移動方向を所定の方向にガイドするガイドアーム５４を有する。このガイドアーム５４は、後述するベース板５に設けられた第１のガイド片６１に挿通され、この第１のガイド片６１に沿って移動することで操作部５０及び第１のロック部５１の移動方向を所定の方向Ｒ２１，Ｒ２にガイドする。
【００５６】
アーム部４９の先端に設けられた第２のロック部５２は、後述するベース板５に設けられた第２のガイド片６２により、移動方向が所定の方向Ｒ２２に規制されてガイドされる。
【００５７】
操作部５０には、上述した操作部２０と同様に、本体２のベース板５の底面側と接する面に突設して形成された突起部５５が設けられている。この突起部５５は、後述するベース板５のガイド溝３３内を移動することで、ガイド溝３３により規制された方向にのみ操作部５０を移動するように操作部５０の操作方向Ｒ２を規制するガイド部材となる。突起部５５及びガイド溝３３は、操作部５０の操作方向を決定する。
【００５８】
本体のベース板５の底面側には、図６に示すように、ガイドアーム５４を挿通するための挿通孔が形成された第１のガイド部となる第１のガイド片６１と、第２のロック部５２の移動方向を所定の方向にガイドするとともに、第２のロック部５２が内側に向けて回動したときの位置を規制する第２のガイド部となる第２のガイド片６２と、操作部５０と接触する部分に凹状に形成され、操作部５０の突起部５５が挿入されることで、操作部２０の操作方向をガイドする第３のガイド部となるガイド溝３３と、ロック部材４６の移動範囲を規制するとともに、本体２を組み立てるためのボス部３４とが設けられている。
【００５９】
ガイド溝３３により、操作部５０の操作方向Ｒ２が規制されるとともに、第１及び第２のガイド片６１，６２により、第１及び第２のロック部５１，５２の移動方向が規制されているので、一体に形成されたロック部材４６は、回動支点４７一点のみでベース板５に取り付けられ、弾性変位部４８の先端に設けられた操作部５０を操作されたときに、第１及び第２のロック部５１，５２の移動方向を所定の方向にすることができる。
【００６０】
ボス部３４は、本体２を組み立てるためのものであるとともに、第１のロック部５１及び弾性変位部４８が第２のロック部５２に近接する方向の移動を一定の範囲に抑える規制部として機能する。
【００６１】
蓋開閉機構４０を備えるディスクプレーヤ１において、ロック部材４６が外部から力が加わらない状態、すなわち、通常時においては、第１のロック部５１が、係止片４１の第１の係止部４２に係止して、蓋体３が開蓋動作を行わないように規制し、第２のロック部５２が、係止片４１の第２の係止部４３に係止して、蓋体３が開蓋動作を行わないように規制する。すなわち、ロック部材４６は、第１及び第２のロック部５１，５２により、蓋体３の開蓋動作を行わないようにロックする。
【００６２】
ロック部材４６は、操作部５０が操作方向Ｒ２に操作されたときに、第１のロック部５１が操作方向Ｒ２と同じ方向Ｒ２１に操作されることにより、第１のロック部５１が第１の係止部４２との係止を解除するとともに、第２のロック部５２が操作方向Ｒ２と反対方向Ｒ２２に操作されることにより、第２のロック部５２が第２の係止部４３との係止を解除する。すなわち、ロック部材４６は、操作部５０が操作方向Ｒ２に操作されることにより、蓋体３の開蓋動作のロックを解除し、蓋体３が付勢手段の付勢力により開蓋方向ＲＯに回動される。
【００６３】
このように、ロック部材４６は、外部から力が加わらない状態、すなわち、通常時においては、第１及び第２のロック部５１，５２が図６に示すように、離間した状態に成形されており、外部から力が加わった状態、すなわち、操作部５０が操作方向Ｒ２方向に操作されたときは、第１及び第２のロック部５１，５２が図７に示すように、近接する方向Ｒ２１，Ｒ２２に移動されて、近接した状態となる。
【００６４】
以上のように構成された蓋開閉機構４０は、本体２側に設けられ一体に形成されたロック部材４６が、蓋体３側に設けられた係止片４１を、解除方向が異なる方向とされた第１及び第２のロック部５１，５２により係止することで、構成部品を増加して複雑な構成を有することなく、蓋体３の開蓋動作を防止することができる。
【００６５】
また、蓋開閉機構４０は、落下時等の衝撃が加えられることにより、ロック部材４６が移動したときにも、第１のロック部５１及び第２のロック部５２が同じ方向に移動されるので、一方のロック部による係止が解除されたとしても少なくともいずれか一方のロック部による係止が解除されることはなく、蓋体３の開蓋動作を確実に防止して、確実にロックすることができる。
【００６６】
次に、本発明を適用した蓋開閉機構４０を備えたディスクプレーヤ１の蓋体３の開閉動作について説明する。
【００６７】
まず、蓋体３の閉蓋位置における開蓋動作がロックされている状態について説明する。図６に示すように、付勢手段により開蓋方向ＲＯに付勢された蓋体３に設けられた係止片４１の第１及び第２の係止部４２，４３がそれぞれロック部材４６の第１及び第２のロック部５１，５２により係止されている。すなわち、蓋体３は、係止片４１がロック部材４６により係止されてロックされることにより、開蓋方向ＲＯへの回動を規制されており、閉蓋状態とされている。
【００６８】
次に、閉蓋状態から開蓋状態にされるときの動作について説明する。上述のような閉蓋状態において、操作部５０が操作方向Ｒ２に操作されると、図７に示すように、ロック部材４６は、ベース板５の底面側の平面上で回動支点４７のみで固定されているので、弾性変位部４８の湾曲部５３が、湾曲形状が離間するＲ２３方向に移動され、第１のロック部５１は、操作部５０の操作方向と同じＲ２１方向に移動される。一方、アーム部４９は、回動支点４７近傍が回動支点を中心に操作方向と同じ方向Ｒ２３に力が加わることにより、操作部５０の操作方向と反対方向であるＲ２４方向に回動され、アーム部４９の先端に設けられた第２のロック部５２は、Ｒ２２方向に移動される。すなわち、操作部５０が操作方向Ｒ２に操作されることで、第１及び第２のロック部５１，５２は、互いに近接する方向Ｒ２１，Ｒ２２に移動される。
【００６９】
そして、第１のロック部５１がＲ２１方向に移動されて、第１のロック部５１と第１の係止部４２との係止が解除され、第２のロック部５２がＲ２２方向に移動されて、第２のロック部５２と第２の係止部４３との係止が解除されることにより、ロック部材４６は、係止片４１への係止、すなわち、蓋体の開蓋方向ＲＯへの移動を規制するロックを解除する。
【００７０】
蓋体３は、係止片４１がロック部材４６による係止が解除されることにより、開蓋動作のロックが解除されて、付勢手段による付勢力により開蓋動作される。
【００７１】
次に、開蓋状態から閉蓋状態にされるときの動作について説明する。開蓋状態とされた蓋体３が、付勢手段による付勢力に反する力により、閉蓋方向ＲＣに移動されると、係止片４１の第１及び第２の傾斜面部４４，４５が第１及び第２のロック部５１，５２に接触する。このとき、第１及び第２のロック部５１，５２は、操作部５０が通常の位置に戻っているので、通常時の離間した状態、すなわち、係止片４１と接触する位置に戻っている。
【００７２】
第１及び第２のロック部５１，５２は、蓋体３の閉蓋方向ＲＣへの力と、蓋体３側に設けられた係止片４１の第１及び第２の傾斜面部４４，４５の傾斜面とにより、近接する方向Ｒ２１，Ｒ２２に移動されて、蓋体３が閉蓋位置に移動することを可能とする。
【００７３】
そして、蓋体３が閉蓋位置に移動したときに、第１及び第２のロック部５１，５２は、通常時の離間した状態に戻り、係止片４１の第１及び第２の係止部４２，４３に係止した状態、すなわち、蓋体３の開蓋動作を規制するロック状態となる。
【００７４】
本発明を適用した蓋開閉機構４０は、本体２及び蓋体３の一方側に設けられた、所定の操作方向Ｒ２１に操作される第１のロック部５１と、この操作方向Ｒ２１と逆の方向Ｒ２２に操作される第２のロック部５２とが、本体２及び蓋体３の他方の側に設けられた係止片４１の第１及び第２の係止部４２，４３に係止することにより、蓋体２の開蓋動作を規制するので、複雑な構成を必要とせず、構成部品を増加することなく、落下時等の衝撃が加わった際にも、蓋体２が誤って開蓋することを防止することができる。
【００７５】
また、本発明を適用した蓋開閉機構４０は、落下時等の開蓋動作を防止するために例えば、従来の蓋開閉機構を複数設けること、すなわち、解除方向が異なる方向とされたロック部を２箇所設け、このロック部に係合されるツメ部を２箇所設けた場合には、必要となる煩雑なロック解除を必要とせず、また、部品点数の増加等の問題を起こすおそれがなく、簡単な構成で、落下時の衝撃が加わった際の蓋体が誤って開蓋することを防止することができる。
【００７６】
尚、上述のディスクプレーヤ１の蓋開閉機構４０では、本体２側にロック部材４６、蓋体３側に係止片４１を設けるように構成したが、これに限られるものではなく、本体２側に係止片、蓋体３側にロック部材を設けるように構成しても良い。
【図面の簡単な説明】
【００７７】
【図１】本発明を適用した蓋開閉機構を備えるディスクプレーヤを示す斜視図である。
【図２】本発明を適用した蓋開閉機構のロック部材及び係止片を示すディスクプレーヤの底面側からの分解斜視図である。
【図３】本発明を適用した蓋開閉機構のロック部材の操作部に設けられた突起部とガイド溝との関係を示す分解斜視図である。
【図４】本発明を適用した蓋開閉機構のロック部材及び係止片の係止している状態を示す底面側からの平面図である。
【図５】本発明を適用した蓋開閉機構のロック部材及び係止片の係止が解除された状態を示す底面側からの平面図である。
【図６】本発明を適用した蓋開閉機構の他の例のロック部材及び係止片の係止している状態を示す底面側からの平面図である。
【図７】本発明を適用した蓋開閉機構の他の例のロック部材及び係止片の係止が解除された状態を示す底面側からの平面図である。
【図８】従来のディスクプレーヤの蓋開閉機構を示すものであり、（ａ）は、ロック部材及びツメ部が係止している状態を示す分解斜視図であり、（ｂ）は、ロック部材及びツメ部の係止が解除された状態を示す分解斜視図である。
【符号の説明】
【００７８】
１  ディスクプレーヤ、  ２  本体、  ３  蓋体、  ５  ベース板、  １１  係止片、  １２  第１の係止部、  １３  第２の係止部、  １６  ロック部材、  １７  回動支点、  １８  弾性変位部、  １９  アーム部、  ２０  操作部、  ２１  第１のロック部、  ２２  第２のロック部、  ２３  湾曲部、  ２４  ガイドアーム、  ２５  突起部、  ３１  第１のガイド片、  ３２  第２のガイド片、  ３３  ガイド溝
【図１】
2006260629.tif 000003
【図２】
2006260629.tif 000004
【図３】
2006260629.tif 000005
【図４】
2006260629.tif 000006
【図５】
2006260629.tif 000007
【図６】
2006260629.tif 000008
【図７】
2006260629.tif 000009
【図８】
2006260629.tif 000010